(57)【要約】      （修正有）【課題】子供や大人のように太さの異なる手首や足首に対して、バンド長さの調整が容易で迅速に違和感なく取り付けられるリストバンドを提供する。【解決手段】リストバンド１は、表示部２と、この表示部２の両側に延伸して、一端部に、バンド穴を有し、手首などに巻き回すためのバンド部３と、他端部に、セット穴６を有し、バンド部３と重ね合わせてリストバンド１を環状に取り付けるためのセット部４と、が設けられている。バンド穴５の横には、各々のバンド穴５に対応する位置に、セット穴６側から数えて１から始まる１０までの連番でバンド穴表示７が印刷されており、測長部８には、バンド穴５の横に付されたバンド穴表示７と同じ連番で構成されたバンド穴表示１０と、そのバンド穴表示１０の適用範囲を示す境界目盛り１１が、バンド穴５と同じ間隔で設けられている。【選択図】図１
2008158323.tif 000002
【特許請求の範囲】
【請求項１】
中央を表示部とする帯状基材の長手方向の一端部に複数のバンド穴が所定の間隔で形成されるとともに他端部にセット穴が形成され、前記バンド穴と前記セット穴とにリストバンド用クリップを挿通して手首や足首に対し環状に取り付けられるリストバンドであって、
前記一端部の前記バンド穴と平行な線上には、各々の前記バンド穴が個別に参照可能に関連づけられた測長部が設けられてなり、各々の前記バンド穴から前記セット穴までの間隔は、その各々に対応する前記測長部からその延長線上の前記他端部に設定される基点部までの間隔よりも、所定の長さ長くなるように設定されていることを特徴とするリストバンド。
【請求項２】
前記バンド穴の近傍に、この各々のバンド穴を識別するための数字または記号などによるバンド穴表示が備わると共に、前記測長部にこのバンド穴表示が備わり、前記バンド穴と前記測長部とは前記バンド穴表示を介して参照可能に関連づけられていることを特徴とする請求項１記載のリストバンド。
【請求項３】
前記測長部に備わる前記バンド穴表示は、その境界を示す境界目盛りまたは色分けによって互いに区画されていることを特徴とする請求項２記載のリストバンド。
【請求項４】
前記基点部から前記測長部の最近部までの間隔は、対象となる手首や足首の周長の最小値よりも短く、前記基点部から前記測長部の最遠部までの間隔は、対象となる手首や足首の周長の最大値よりも長くなるように設定されていることを特徴とする請求項１ないし３記載のリストバンド。
【請求項５】
前記バンド穴から前記セット穴までの間隔と、関連する前記測長部から前記基点部までの間隔との差は、対象となる個別の手首や足首の周長と手足の周長との差よりも小さくなるように設定されていることを特徴とする請求項１ないし４記載のリストバンド。
【請求項６】
前記基点部は、前記セット穴の中心位置を示す目盛りであることを特徴とする請求項１ないし５記載のリストバンド。
【請求項７】
請求項１に記載されたリストバンドの使用方法であって、
前記リストバンドを手首や足首に巻回して前記一端部と前記他端部とを重ね合わせる工程と、前記基点部と最小周長で重なる前記測長部に付された前記バンド穴表示を選定する工程と、選定された前記バンド穴表示が付された前記バンド穴と前記セット穴とにリストバンド用クリップを挿通して、前記リストバンドを手首や足首に巻き止める工程と、を具備したことを特徴とするリストバンドの使用方法。
【発明の詳細な説明】
【技術分野】
【０００１】
本発明は、病院や遊園地などにおいて手首や足首などに環状に巻き止めて情報の表示を行うために使用されるリストバンドに関する。
【背景技術】
【０００２】
近年、病院や遊園地などにおいて、患者情報や施設利用情報などの表示を行うリストバンドが使われている。図７を参照して従来のリストバンド５１を説明すると、リストバンド５１は、帯状基材の長手方向中央に表示部５２、その両側の一端部にバンド穴５３、他端部にセット穴５４が設けられており、例えば病院においては、表示部５２に対して氏名やＩＤナンバーなどの患者などの必要情報がプリンタで印字され、患者の手首や新生児の足首に取り付けられる。投薬時や処置時には、表示部５２の表示内容とカルテの記載内容とが照合され、当該患者などの投薬や処置内容に誤りのないことが確認される。かかるリストバンド５１は、バンド穴５３とセット穴５４とに専用のクリップを挿通してこれを係止し、手首などに環状に取り付けられるが、取り付けられる手首などの大きさが異なっても柔軟に対応できるように、通常、バンド穴５３は長手方向に複数設けられており、手首などの大きさに応じて適宜バンド穴５３の位置を選択することによって、リストバンド５１の径の大きさが調整可能とされている。すなわち、このバンド穴５３の位置を変えることによって、手首（短周部分）の周長より大きく、かつ手首からはずれないように手のひら（長周部分）の周長より小さくなるような周長の範囲内において、きつくもなく緩くもない適切な周長でリストバンド５１の取り付けが可能となっている。
【０００３】
しかしながら、従来は、リストバンドを取り付ける際に作業者の経験や目見当によって長さの調整を行うようにしていたために、特に手首の太さが異なる子供や大人が混在するような状況下で取り付けを行う場合などにおいて、作業者の熟練具合によってばらつきが生じやすく、きつくなったり緩くなったりして使用感に差が生ずるという問題があった。
【０００４】
【特許文献１】特開２００４−２４２９０４号公報
【発明の開示】
【発明が解決しようとする課題】
【０００５】
本発明はかかる問題点に鑑みてなされたものであり、その目的とするところは、子供や大人のように太さの異なる手首や足首に対して、バンド長さの調整が容易で迅速に違和感なく取り付けられるリストバンドを提供する点にある。
【課題を解決するための手段】
【０００６】
上記課題を解決するために、本発明のリストバンドは、中央を表示部とする帯状基材の長手方向の一端部に複数のバンド穴が所定の間隔で形成されるとともに他端部にセット穴が形成され、前記バンド穴と前記セット穴とにリストバンド用クリップを挿通して手首や足首に対し環状に取り付けられるリストバンドであって、前記一端部の前記バンド穴と平行な線上には、各々の前記バンド穴が個別に参照可能に関連づけられた測長部が設けられてなり、各々の前記バンド穴から前記セット穴までの間隔は、その各々に対応する前記測長部からその延長線上の前記他端部に設定される基点部までの間隔よりも、所定の長さ長くなるように設定されていることを特徴とする。
【０００７】
また、前記バンド穴の近傍に、この各々のバンド穴を識別するための数字または記号などによるバンド穴表示が備わると共に、前記測長部にこのバンド穴表示が備わり、前記バンド穴と前記測長部とは前記バンド穴表示を介して参照可能に関連づけることができる。
【０００８】
また、前記測長部に備わる前記バンド穴表示は、その境界を示す境界目盛りまたは色分けによって互いに区画することができる。
【０００９】
また、前記基点部から前記測長部の最近部までの間隔は、対象となる手首や足首の周長の最小値よりも短く、前記基点部から前記測長部の最遠部までの間隔は、対象となる手首や足首の周長の最大値よりも長くなるように設定することができる。
【００１０】
また、前記バンド穴から前記セット穴までの間隔と、関連する前記測長部から前記基点部までの間隔との差は、対象となる個別の手首や足首の周長と手足の周長との差よりも小さくなるように設定することができる。
【００１１】
また、前記基点部は、前記セット穴の中心位置を示す目盛りとすることができる。
【００１２】
本発明のリストバンドの使用方法は、請求項１に記載されたリストバンドの使用方法であって、前記リストバンドを手首や足首に巻回して前記一端部と前記他端部とを重ね合わせる工程と、前記基点部と最小周長で重なる前記測長部に付された前記バンド穴表示を選定する工程と、選定された前記バンド穴表示が付された前記バンド穴と前記セット穴とにリストバンド用クリップを挿通して、前記リストバンドを手首や足首に巻き止める工程と、を具備したことを特徴とする。
【発明の効果】
【００１３】
本発明のリストバンドは、一端部のバンド穴と平行な線上に、各々のバンド穴が個別に参照可能に関連づけられた測長部が設けられてなり、各々のバンド穴からセット穴までの間隔は、その各々に対応する測長部からその延長線上の他端部に設定される基点部までの間隔よりも、所定の長さ長くなるように設定されているので、手首や足首にリストバンドを巻回して一端部と他端部とを重ね合わせ、基点部と最小周長で重なる測長部からセット穴と組み合わせて適切なバンド穴が選定可能となっており、取り付け経験の少ない作業者であっても調整が容易であり、人体に違和感なく迅速に取り付けられるという効果を奏す。
【００１４】
また、バンド穴の近傍に、各々のバンド穴を識別するための数字または記号などによるバンド穴表示が備わると共に、測長部にバンド穴表示が備わり、バンド穴と測長部とはバンド穴表示を介して参照可能に関連づけられているので、適正なバンド穴の参照が容易であるという効果を奏す。
【００１５】
また、測長部に付されたバンド穴表示は、その境界を示す境界目盛りまたは色分けによって互いに区画されているので、バンド穴表示が適用される範囲が容易に読み取れるという効果を奏す。
【００１６】
また、基点部から測長部の最近部までの間隔は、対象となる手首や足首の周長の最小値よりも短く、基点部から測長部の最遠部までの間隔は、対象となる手首や足首の周長の最大値よりも長くなるように設定したので、対象となる全ての取り付け対象に対応できるという効果を奏す。
【００１７】
また、バンド穴からセット穴までの間隔と、関連する測長部から基点部までの間隔との差は、対象となる個別の手首や足首の周長と手足の周長との差よりも小さくなるように設定したので、手首や足首からはずれることはないという効果を奏す。
【００１８】
また、基点部をセット穴の中心位置を示す目盛りとすることで、基点部の読み取りが容易となるという効果を奏す。
【００１９】
本発明のリストバンドの使用方法は、請求項１に記載されたリストバンドを手首や足首に巻回して一端部と他端部とを重ね合わせる工程と、基点部と最小周長で重なる測長部に付されたバンド穴表示を選定する工程と、選定されたバンド穴表示が付されたバンド穴とセット穴とにリストバンド用クリップを挿通して、リストバンドを手首や足首に巻き止める工程と、を具備するようにしたので、太さの異なる手首や足首に対して適切なバンド穴の間隔を選択することができ、取り付け経験の少ない作業者であっても調整が容易であり、人体に違和感なく迅速にリストバンドが取り付けられるという効果を奏す。
【発明を実施するための最良の形態】
【００２０】
以下、本発明の実施の形態を図面に基づいて詳細に説明する。
【００２１】
図１は、本発明に係るリストバンドの実施の形態の構成を示す平面図、図２は、本発明に係るリストバンドの実施の形態の適用例を示す平面図である。
【００２２】
本実施の形態のリストバンド１は、図１を参照すると、表示部２と、この表示部２の両側に延伸して、一端部に手首などに巻き回すためのバンド部３と、他端部にバンド部３と重ね合わせてリストバンド１を環状に取り付けるためのセット部４と、が設けられている。バンド部３には１０個のバンド穴５が長手方向に等間隔で形成され、セット部４にはセット穴６がバンド穴５の延長線上に形成されている。この１０個のバンド穴５から適宜選択されるバンド穴５とセット穴６との中心間隔は、環状に取り付けられるリストバンド１の環の周長となる。なお、バンド穴５およびセット穴６の数はこれに限定されるものではなく、必要に応じて適宜増減可能である。
【００２３】
バンド穴５の横（図中下方）には、各々のバンド穴５に対応する位置に、セット穴６側から数えて１から始まる１０までの連番でバンド穴表示７が印刷されている。また、バンド穴５を介したバンド穴表示７の対辺側（図中上方）には、測長部８がバンド穴５と平行に配列され、さらにこの延長線上のセット部４にはセット穴６の長手方向の中心位置を示す基点目盛り９がセット穴６の横（図中上方）に印刷されている。測長部８には、バンド穴５の横に付されたバンド穴表示７と同じ連番で構成されたバンド穴表示１０と、そのバンド穴表示１０の適用範囲を示す境界目盛り１１が、バンド穴５と同じ間隔で設けられている。この境界目盛り１１は、対応する各々のバンド穴５よりも基点目盛り９寄りに設けられている。また、セット穴６の表示部２側には「セット穴」の表示が印刷されている。
【００２４】
測長部８の最もセット穴６寄りの測長部最近部１２から基点目盛り９までの間隔は、手首等の周長確認に使われる関係上、適用される一群の手首や足首の最小周長よりも短く設定されており、その反対側の最もセット穴６から遠い測長部最遠部１３と基点目盛り９との間隔は、適用される一群の手首や足首の最大周長よりも長く設定されている。すなわち、本実施の形態のリストバンド１を子供から大人まで幅広く適用対象とする場合、最もセット穴６寄りにある測長部最近部１２からセット部４の基点目盛り９までの間隔は、手首の周長が短い子供の手首の周長よりも幾分短く、最もセット穴６から遠い測長部最遠部１３から基点目盛り９までの間隔は、手首の周長が長い大人の手首の周長よりも長目に設定されることが好ましい。
【００２５】
バンド穴５からセット穴６までの間隔と、それに対応する測長部８から基点目盛り９までの間隔との差は、リストバンド１を手首や足首に環状に取り付けたときに、手首や足首に対してリストバンド１が密着した状態からの余裕分として設定される長さであり、この長さの長短によって手首や足首に対する装着感が定まる。但し、装着感は用途や取り付け対象、あるいはリストバンド１の材質などによっても異なるので、この長さは必ずしも一律に定まるものではなく、目的に応じて適宜設定されるものである。
【００２６】
また、この差は、取り付けられる手首や足首からリストバンド１が外れないように、取り付け対象となる手首や足首の周長（最小周長）と手足の周長（最大周長）との差の最小値よりもさらに小さい範囲で設定する必要がある。
【００２７】
また、隣り合うバンド穴５の間隔は、手首や足首の周長に対応して微調整が容易となるように細かく設定することが望ましく、特に、手首や足首の周長が短い子供に適用されるリストバンド１においては、セット穴６寄りに設けられるバンド穴５や、基点目盛り９寄りに設けられる境界目盛り１１の間隔は、細かく設定されている方が調整が容易となって好適である。
【００２８】
本実施の形態のリストバンド１は、プリンタ（図示せず）にセットして表示部２に印字が行えるように、例えば図２に示す如く、シート基材１５に対し、リストバンド１の外形線に沿ってミシン目や、一部に切断部を設けない、いわゆる点止め加工によって形成された切取線１４などから切り取り可能とすることができる。バンド穴５およびセット穴６は、シート基材１５に打ち抜き加工を施すことによって形成されたものであり、さらに、シート基材１５には、一枚のリストバンド１がシート基材１５と共に他のリストバンド１と分離できる位置に切り取り用のミシン目１６が形成されており、プリンタで印字後にリストバンド１の必要枚数を切り取って分配する際便利なように構成されている。
【００２９】
シート基材１５には、余白に「印字進行方向」の文字と方向を表す矢示が印刷されている。かかる構成のシート基材１５は、ロール状に巻回されてプリンタに取り付けられ、図２に示すように、表示部２に対して「二次元コード」、科名「外科」、病棟番号「東０２」、患者名「佐藤太郎」、患者のＩＤ番号「ＩＤ：０６０８０５００３」などが印字される。なお、目的に応じてこの印字を所定の内容に変更することにより、リストバンド１は遊園地やイベントの入場券などの幅広い用途に対応可能とすることができる。
【００３０】
本実施の形態で使用されるシート基材１５の材質に関しては特に限定されるものではないが、プリンタに取り付けて印字を行う関係上、プリンタの印字に適した基材の中で、人体に取り付けて違和感がなく障害が発生しないものが選択される。一般に、医療用途においては、長期使用が想定されるとともに、水やアルコールなどの薬品に対する耐性が要求されることから、例えば合成紙、ＰＥＴ（ポリエチレンテレフタレート）、ＰＥ（ポリエチレン）、ＰＰ（ポリスチレン）、塩化ビニルなどのフイルム系の基材、布、不織布など、およびそれらの複合体などが用いられる。さらに、衛生面の配慮から抗菌剤の塗布や練り込みなどにより、有害細菌の増殖防止を図るようにすることもできる。
【００３１】
また、遊園地やイベントなどにおいては、使用時間も短時間のことが多く、耐水性、耐久性も特に要求されないことが多いため、上記基材に加え、コート紙やアート紙などの紙製の基材、およびそれらの複合体が選択できる。
【００３２】
次に、本実施の形態のリストバンド１を手首に取り付ける方法を説明する。図３は、本発明に係るリストバンド１の実施の形態を手首に取り付ける状態を示す説明図、図４は、バンド部とセット部を重ね合わせて最適なバンド穴を選定する方法を示す説明図、図５は、バンド穴５とセット穴６に対してリストバンド用クリップ１８を挿入しているところを示す説明図、図６は、バンド部３とセット部４をリストバンド用クリップ１８で係止した状態を示す部分断面図である。
【００３３】
リストバンド１を手首１７に取り付けるためには、まず、リストバンド１を患者等の手首１７に回して、手首１７に最もフィットした状態で、測長部８の基点目盛り９と重なる境界目盛り１１の範囲から、対応するバンド穴表示１０の番号を確認する。このバンド穴表示１０と同じ番号のバンド穴表示７が行われたバンド穴５を選択することによって、セット穴６と組み合わせられるバンド穴５が決定される。例えば図４では、基点目盛り９はバンド穴表示１０の「８」番の境界目盛り１１の範囲内にあるので、バンド穴５の「８」番が係止の相手として選定される。このようにして選定された当該患者等に適切なバンド穴５とセット穴６とを合わせ、リストバンド用クリップ１８の係止部１９をこれらに挿入して仮止めを行う。なお、図５では、セット部４の表面にバンド部３の裏面を重ねて取り付けるようにしたが、セット部４の裏面とバンド部３の裏面を重ねるようにしても良い。
【００３４】
次に、リストバンド用クリップ１８をヒンジ２０の位置から矢印方向に折り曲げて、メスクリップ部２１をオスクリップ部２２に合わせ、係止部１９をメスクリップ部２１に形成された係止穴２３に押し込むことによって、爪部２４の弾性力によってその先端部分が縮幅されて係止穴２３に完全に挿入され、図５に示すごとく係止が行われる。一旦係止穴２３に挿入された係止部１９は、爪部２４の復元力によってその先端部分が拡幅されるので、突起部２５にじゃまされて抜けることがないようになっている。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００３６】
【図１】本発明に係るリストバンドの実施の形態の構成を示す平面図である。
【図２】本発明に係るリストバンドの実施の形態の適用例を示す平面図である。
【図３】本発明に係るリストバンドの実施の形態を手首に取り付ける状態を示す説明図である。
【図４】バンド部とセット部を重ね合わせて最適なバンド穴を選定する方法を示す説明図である。
【図５】バンド穴とセット穴に対してリストバンド用クリップを挿入しているところを示す説明図である。
【図６】バンド穴とセット穴をリストバンド用クリップで係止した状態を示す部分断面図である。
【図７】従来のリストバンドを示す平面図である。
【符号の説明】
【００３７】
１    リストバンド
２    表示部
３    バンド部（一端部）
４    セット部（他端部）
５    バンド穴
６    セット穴
７    バンド穴表示
８    測長部
９    基点目盛り
１０  バンド穴表示
１１  境界目盛り
１２  測長部最近部
１３  測長部最遠部
１４  切取線
１５  シート基材
１６  ミシン目
１７  手首
１８  リストバンド用クリップ
１９  係止部
２０  ヒンジ
２１  メスクリップ部
２２  オスクリップ部
２３  係止穴
２４  爪部
２５  突起部
５１  リストバンド
５２  表示部
５３  バンド穴
５４  セット穴
【図１】
2008158323.tif 000003
【図２】
2008158323.tif 000004
【図３】
2008158323.tif 000005
【図４】
2008158323.tif 000006
【図５】
2008158323.tif 000007
【図６】
2008158323.tif 000008
【図７】
2008158323.tif 000009